(57)【要約】【課題】  自動接続の結果の良否判断を得ることが可能な光伝送装置、光自動接続方法およびプログラムを提供すること。【解決手段】  光スイッチを有する光伝送装置であって、実装されたインターフェース（Ｉ／Ｆ）カードからＩ／Ｆカードを特定するための識別情報およびＩ／Ｆカードが有する入出力ポートに関する情報を示す入出力ポート情報を含むカード情報を取得する手段と、取得したカード情報および予め定められたＩ／Ｆカードの入出力ポート間で接続可能な状態を示す接続可能入出力ポート情報に基づいて、実装されたＩ／Ｆカードの入出力ポート間での接続すべき状態を示す接続入出力ポート情報を作成する手段と、作成された接続入出力ポート情報および接続された光スイッチの入出力ポートとＩ／Ｆカードの入出力ポートとの接続関係を示す入出力ポート接続情報に基づいて、接続可能入出力ポート情報に従うように光スイッチを制御する手段とを備える。【選択図】図１
2006157359.tif 000002
【特許請求の範囲】
【請求項１】
光スイッチを有する光伝送装置において、
実装されたインターフェースカードから前記インターフェースカードを特定するための識別情報および前記インターフェースカードが有する入出力ポートに関する情報を示す入出力ポート情報を含むカード情報を取得するカード情報取得手段と、
前記識別情報取得手段によって取得した前記カード情報および予め定められたインターフェースカードの入出力ポート間で接続可能な状態を示す接続可能入出力ポート情報に基づいて、前記実装されたインターフェースカードの入出力ポート間での接続すべき状態を示す接続入出力ポート情報を作成する接続入出力ポート情報作成手段と、
前記接続入出力ポート情報作成手段によって作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御する光スイッチ制御手段と、
を備えることを特徴とする光伝送装置。
【請求項２】
前記光スイッチ制御手段によって制御された光スイッチが、前記接続可能入出力ポート情報に従った接続であるか否かをチェックするチェック手段を備えることを特徴とする請求項１に記載の光伝送装置。
【請求項３】
前記光スイッチは、入力ポートにレーザダイオードを備え、出力ポートに光信号の一部を取り出す光タップを有するフォトダイオードを備え、
前記チェック手段は、前記レーザダイオードおよび前記フォトダイオードを用いてチェックすることを特徴とする請求項２に記載の光伝送装置。
【請求項４】
光スイッチを有する光伝送装置において実行される光自動接続方法であって、
実装されたインターフェースカードから前記インターフェースカードを特定するための識別情報および前記インターフェースカードが有する入出力ポートに関する情報を示す入出力ポート情報を含むカード情報を取得し、
予め定められたインターフェースカードの入出力ポート間で接続可能な状態を示す接続可能入出力ポート情報および前記取得した前記カード情報に基づいて、前記実装されたインターフェースカードの入出力ポート間での接続すべき状態を示す接続入出力ポート情報を作成し、
前記作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御することを特徴とする光自動接続方法。
【請求項５】
光スイッチを有する光伝送装置において実行させるコンピュータ実行可能な光自動接続プログラムであって、
実装されたインターフェースカードから前記インターフェースカードを特定するための識別情報および前記インターフェースカードが有する入出力ポートに関する情報を示す入出力ポート情報を含むカード情報を取得する手順と、
予め定められたインターフェースカードの入出力ポート間で接続可能な状態を示す接続可能入出力ポート情報および前記取得した前記カード情報に基づいて、前記実装されたインターフェースカードの入出力ポート間での接続すべき状態を示す接続入出力ポート情報を作成する手順と、
前記作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御する手順とを備えることを特徴とする光自動接続プログラム。
【発明の詳細な説明】
【技術分野】
【０００１】
本発明は、光の状態でスイッチングを行なう光クロスコネクト（ＯＸＣ：ＯｐｔｉｃａｌＣｒｏｓｓ−Ｃｏｎｎｅｃｔ）技術を用いた光伝送装置、光自動接続方法および光自動接続プログラムに関し、特に、光スイッチに対して接続元および接続先を指示してインターフェースカード間のジャンパ接続を自動で行なうことができる光伝送装置、光自動接続方法および光自動接続プログラムに関する。
【背景技術】
【０００２】
波長分割多重（ＷＤＭ：Ｗａｖｅｌｅｎｇｔｈ  Ｄｉｖｉｓｉｏｎ  Ｍｕｌｔｉｐｌｅｘｉｎｇ）装置はもちろんのこと、波長分割多重装置内におけるインターフェースカード間のスループットの向上のため、光インターコネクションが適用されてきており、配線を容易にするため、波長分割多重装置内の各インターフェースカード間の光ケーブル接続をカード情報を元に自動接続するシステムが要求されている。
【０００３】
また、ルータの高速化・大容量化の壁となっているのが、装置内での電気インターコネクションが限界に近づいていることである。ルータを高速化するとそれに伴い伝送距離は短くなり、消費電力も増大する。バックボード伝送に相当する「１０Ｇｂｐｓで距離１ｍ」の伝送が限界となると言われている。そこで、光による装置内伝送、すなわち光インターコネクション技術が期待されている。
【０００４】
光通信ネットワークは、情報通信ネットワークの基盤形成の核となるもので、一層のサービスの高度化、広域化が望まれており、中でもＷＤＭ技術は光伝送装置の中心技術として、急速に開発が進んでいる。ＷＤＭ技術は、波長の異なる光を多重して、１本の光ファイバで複数の信号を同時に伝送する方式である。
【０００５】
一方、広大なフォトニックネットワークを構築するためには、ＷＤＭシステム同士を接続して、各ノード間をループ状に接続したリング型ネットワークや、メッシュ状に接続したメッシュ型ネットワークなどが適用される。このようなネットワークを構築する際のキーテクノロジーとなるものに光クロスコネクト装置がある。
【０００６】
光クロスコネクト装置は、ネットワークのノード内に設置されて、入力ポートに入力された光信号を目的の出力ポートへ出力するようスイッチングを行ったり、光信号の挿入・分岐（Ａｄｄ・Ｄｒｏｐ）を行ったりする装置である。また、ＯＸＣ装置のスイッチング部には、通常、ＭＥＭＳ（Ｍｉｃｒｏ  Ｅｌｅｃｔｒｏ  Ｍｅｃｈａｎｉｃａｌ  Ｓｙｓｔｅｍｓ）を用いた大規模な空間光マトリクス・スイッチが適用されており、１０００チャネル程度のスイッチングができるものを目指して実用開発が進められている。
【０００７】
従来、カードが実装されると、カード毎に設定されているＩＤの情報とカードの実装位置情報とを制御装置に通知する技術（例えば、特許文献１参照。）や、ラインインターフェースカードが実装されると、該カードの登録がなされ、高速側パスと低速側パスとが自動的にクロスコネクトされる技術（例えば、特許文献２参照。）が開示されている。
【特許文献１】特開平７−３１９７９８号公報
【特許文献２】特開平１０−３０３８９９号公報
【発明の開示】
【発明が解決しようとする課題】
【０００８】
ＷＤＭ装置は、光増幅部／多重分離部／波長変換部／インバンド監視制御部に分類され、各々の機能部が全て光ケーブルにて接続されている。また、光ケーブルでの接続方式としては、インターフェースカード前面に設けられた光コネクタ同士を接続する方法と、ＷＤＭ装置のＢＷＢ（バックワイヤリングボード：Ｂａｃｋ  Ｗｉｒｉｎｇ  Ｂｏａｒｄ）に光ケーブルを張り巡らし、ＢＷＢにて接続する方法が主な接続方式である。それぞれ以下の特徴と課題を以下に示す。
【０００９】
すなわち、インターフェースカードの前面での光ケーブル接続方式は、シェルフ内でのインターフェースカードの実装には制限は少ないという特徴を有するが、インターフェースカードの前面の指定されたコネクタポート同士を操作者がマニュアルで接続するため、接続ミスが起こりやすいという問題点があった。また、インターフェースカードの前面での光ケーブル接続であることから、１つの箇所を作業する上で他の箇所のファイバに触れてしまい、サービス断を引き起こす可能性が大きいという問題点もあった。
【００１０】
また、ＢＷＢでの光ケーブル接続方式は、ＢＷＢにて各インターフェースカード間の光ファイバ接続が行われるため、接続ミスがないという特徴を有するが、ＢＷＢでの光ケーブル接続であるため、各インターフェースカードの実装位置は固定となってしまうという問題点があった。
【００１１】
本発明は、上記事情に鑑みてなされたもので、各インターフェースカード間を光ケーブル接続する上で、接続ミスをなくし、またインターフェースカードの実装フリーを実現する光伝送装置、光自動接続方法および光自動接続プログラムを提供することを目的とする。
【００１２】
また、本発明は、自動接続の結果の良否判断を得ることが可能な光伝送装置、光自動接続方法および光自動接続プログラムを提供することを目的とする。
【課題を解決するための手段】
【００１３】
本発明は、上記課題を解決するため、下記のような構成を採用した。
すなわち、本発明の一態様によれば、本発明の光伝送装置は、光スイッチを有する光伝送装置であって、実装されたインターフェースカードから上記インターフェースカードを特定するための識別情報および上記インターフェースカードが有する入出力ポートに関する情報を示す入出力ポート情報を含むカード情報を取得するカード情報取得手段と、上記識別情報取得手段によって取得した上記カード情報および予め定められたインターフェースカードの入出力ポート間で接続可能な状態を示す接続可能入出力ポート情報に基づいて、上記実装されたインターフェースカードの入出力ポート間での接続すべき状態を示す接続入出力ポート情報を作成する接続入出力ポート情報作成手段と、上記接続入出力ポート情報作成手段によって作成された上記接続入出力ポート情報および接続された上記光スイッチの入出力ポートと上記インターフェースカードの入出力ポートとの接続関係を示す入出力ポート接続情報に基づいて、上記接続可能入出力ポート情報に従うように上記光スイッチを制御する光スイッチ制御手段とを備えることを特徴とする。
【００１４】
また、本発明の光伝送装置は、上記光スイッチ制御手段によって制御された光スイッチが、上記接続可能入出力ポート情報に従った接続であるか否かをチェックするチェック手段を備えることが望ましい。
【００１５】
また、本発明の光伝送装置は、上記光スイッチが、入力ポートにレーザダイオードを備え、出力ポートに光信号の一部を取り出す光タップを有するフォトダイオードを備え、上記チェック手段が、上記レーザダイオードおよび上記フォトダイオードを用いてチェックすることが望ましい。
【００１６】
また、本発明の一態様によれば、本発明の光自動接続方法は、光スイッチを有する光伝送装置において実行される光自動接続方法であって、実装されたインターフェースカードから上記インターフェースカードを特定するための識別情報および上記インターフェースカードが有する入出力ポートに関する情報を示す入出力ポート情報を含むカード情報を取得し、予め定められたインターフェースカードの入出力ポート間で接続可能な状態を示す接続可能入出力ポート情報および上記取得した上記カード情報に基づいて、上記実装されたインターフェースカードの入出力ポート間での接続すべき状態を示す接続入出力ポート情報を作成し、上記作成された上記接続入出力ポート情報および接続された上記光スイッチの入出力ポートと上記インターフェースカードの入出力ポートとの接続関係を示す入出力ポート接続情報に基づいて、上記接続可能入出力ポート情報に従うように上記光スイッチを制御することを特徴とする。
【００１７】
また、本発明の一態様によれば、本発明の光自動接続プログラムは、光スイッチを有する光伝送装置において実行させるコンピュータ実行可能な光自動接続プログラムであって、実装されたインターフェースカードから上記インターフェースカードを特定するための識別情報および上記インターフェースカードが有する入出力ポートに関する情報を示す入出力ポート情報を含むカード情報を取得する手順と、予め定められたインターフェースカードの入出力ポート間で接続可能な状態を示す接続可能入出力ポート情報および上記取得した上記カード情報に基づいて、上記実装されたインターフェースカードの入出力ポート間での接続すべき状態を示す接続入出力ポート情報を作成する手順と、上記作成された上記接続入出力ポート情報および接続された上記光スイッチの入出力ポートと上記インターフェースカードの入出力ポートとの接続関係を示す入出力ポート接続情報に基づいて、上記接続可能入出力ポート情報に従うように上記光スイッチを制御する手順とを備えることを特徴とする。
【発明の効果】
【００１８】
本発明によれば、各インターフェースカード間を光ケーブル接続する上で、接続ミスをなくし、またインターフェースカードの実装フリーを実現する光伝送装置、光自動接続方法および光自動接続プログラムを提供することが可能となる。
【００１９】
また、本発明によれば、自動接続の結果の良否判断を得ることが可能な光伝送装置、光自動接続方法および光自動接続プログラムを提供することが可能となる。
【発明を実施するための最良の形態】
【００２０】
以下、図面に基づいて本発明の実施の形態を説明する。
図１は、本発明を適用した光伝送装置の全体構成を概念的に示した図である。
まず、図１を用いて、本発明の概要を説明する。
【００２１】
図１において、光伝送装置１は、光信号を電気信号に変換することなく光信号のまま経路を切り換えることのできる光スイッチ２を有し、カード情報取得部３と接続入出力ポート情報作成部４と光スイッチ制御部５とを備えている。
【００２２】
カード情報取得部３は、実装されたインターフェースカードである光スイッチ２、光監視チャネル装置（ＯＳＣ−Ａ）６、増幅器（ＡＭＰ−Ａ）７、多重化／分割化装置（ＭＵＸ／ＤＥＭＵＸ−Ａ）８、中継器（ＴＲＰ−Ａ）９および中継器（ＴＲＰ−Ｂ）１０から、これらのインターフェースカード２、６、７、８、９、１０を特定するための識別情報を取得するとともに、これら取得した識別情報に対応する入出力ポート情報を取得する。また、入出力ポート情報は、インターフェースカード２、６、７、８、９、１０等を特定するための識別情報および入出力ポートに関する情報を示す入出力ポート情報を含むカード情報が格納されたカード情報データベース１１０を参照することにより、上記取得した識別情報に対応する入出力ポート情報を取得することもできる。
【００２３】
光スイッチ２は、光スイッチ第１入力ポート１１乃至光スイッチ第８入力ポート１８の８個の入力ポートと、光スイッチ第１出力ポート２１乃至光スイッチ第８出力ポート２８の８個の出力ポートを有している。また、光監視チャネル装置（ＯＳＣ−Ａ）６は、光監視チャネル装置Ａ第１出力ポート６６の１個の出力ポートを有し、増幅器（ＡＭＰ−Ａ）７は、増幅器Ａ第１入力ポート７１および増幅器Ａ第２入力ポート７２の２個の入力ポートと増幅器Ａ第１出力ポート７６の１個の出力ポートを有し、多重化／分割化装置（ＭＵＸ／ＤＥＭＵＸ−Ａ）８は、多重化／分割化装置Ａ第１入力ポート８１および多重化／分割化装置Ａ第２入力ポート８２の２個の入力ポートと多重化／分割化装置Ａ第１出力ポート８６の１個の出力ポートを有し、中継器（ＴＲＰ−Ａ）９は、中継器Ａ第１入力ポート９１の１個の入力ポートと中継器Ａ第２入力ポート９２の１個の出力ポートを有し、中継器（ＴＲＰ−Ｂ）１０は、中継器Ｂ第１入力ポート１０１の１個の入力ポートと中継器Ｂ第２入力ポート１０６の１個の出力ポートを有している。
【００２４】
接続入出力ポート情報作成部４は、様々なインターフェースカードの入出力ポート間で接続可能な状態を示す接続可能入出力ポート情報が格納された接続可能入出力ポート情報データベース１２０を参照することにより、接続可能入出力ポート情報を取得し、この接続可能入出力ポート情報および上記識別情報取得部３によって取得した識別情報と入出力ポート情報とを含むカード情報に基づいて、上記実装されたインターフェースカードの入出力ポート間での接続すべき状態を示す接続入出力ポート情報を作成する。
【００２５】
そして、光スイッチ制御部５は、上記接続入出力ポート情報作成部４によって作成された上記接続入出力ポート情報と、例えば、入出力ポート接続情報データベース１３０に格納された、接続された上記光スイッチの入出力ポートと上記インターフェースカードの入出力ポートとの接続関係を示す入出力ポート接続情報とに基づいて、上記接続可能入出力ポート情報に従うように上記光スイッチ２のＭＥＭＳ第１ミラー３１乃至ＭＥＭＳ第８ミラー３８を制御する。
【００２６】
次に、図２乃至図１９を用いて、本発明を具体的に説明する。
図２は、実装されたインターフェースカードの光接続の状態を説明するための図である。
【００２７】
また、  図３は、光スイッチのカード情報のデータ構造を示す図であり、図４は、光監視チャネル装置（ＯＳＣ−Ａ）のカード情報のデータ構造を示す図であり、図５は、光監視チャネル装置（ＯＳＣ−Ｂ）のカード情報のデータ構造を示す図であり、図６は、多重化／分割化装置（ＭＵＸ／ＤＥＭＵＸ−Ａ）のカード情報のデータ構造を示す図であり、図７は、多重化／分割化装置（ＭＵＸ／ＤＥＭＵＸ−Ｂ）のカード情報のデータ構造を示す図であり、図８は、増幅器（ＡＭＰ−Ａ）のカード情報のデータ構造を示す図であり、図９は、増幅器（ＡＭＰ−Ｂ）のカード情報のデータ構造を示す図であり、図１０は、中継器（ＴＲＰ−Ａ）のカード情報のデータ構造を示す図であり、図１１は、中継器（ＴＲＰ−Ｂ）のカード情報のデータ構造を示す図であり、図１２は、中継器（ＴＲＰ−Ｃ）のカード情報のデータ構造を示す図であり、図１３は、中継器（ＴＲＰ−Ｄ）のカード情報のデータ構造を示す図である。これらの図３乃至図１３に示したカード情報は、カード情報データベース１１０に格納されている。
【００２８】
図２において、ＷＤＭ装置等の光伝送装置１のバックワイヤリングボード（ＢＷＢ）２００のスロット０乃至５には、光スイッチ２を含め６枚のインターフェースカード２、６、７、８、９、１０が実装されている。より具体的には、スロット０に光スイッチ２が実装されており、さらに、スロット１には光監視チャネル装置（ＯＳＣ−Ａ）６が、スロット２には増幅器（ＡＭＰ−Ａ）７が、スロット３には多重化／分割化装置（ＭＵＸ／ＤＥＭＵＸ−Ａ）８が、スロット４には中継器（ＴＲＰ−Ａ）９が、スロット５には中継器（ＴＲＰ−Ｂ）１０が、それぞれ無作為に実装されることにより、光スイッチ２を含むこれらのインターフェースカード２、６、７、８、９、１０が光伝送装置１内部でバス配線される。
【００２９】
このバス配線がなされることにより、カード情報取得部３が、実装されたインターフェースカード２、６、７、８、９、１０から識別情報を取得する。例えば、光スイッチ２からは、光信号を電気信号に変換することなく光信号のまま経路を切り換えることのできる光スイッチであることを示す識別情報「光ＳＷ」を取得し、光監視チャネル装置（ＯＳＣ−Ａ）６からは識別情報「ＯＳＣ−Ａ」を、増幅器（ＡＭＰ−Ａ）７からは識別情報「ＡＭＰ−Ａ」を、多重化／分割化装置（ＭＵＸ／ＤＥＭＵＸ−Ａ）８からは識別情報「ＭＵＸ／ＤＥＭＵＸ−Ａ」を、中継器（ＴＲＰ−Ａ）９からは識別情報「ＴＲＰ−Ａ」を、中継器（ＴＲＰ−Ｂ）１０からは識別情報「ＴＲＰ−Ｂ」を、それぞれ取得する。
【００３０】
また、カード情報取得部３は、識別情報および入出力ポートに関する情報を示す入出力ポート情報を含むカード情報が格納されたカード情報データベース１１０を参照することにより、取得した識別情報に対応する入出力ポート情報を取得する。カード情報データベース１１０には、図３乃至図１３の１１種類のインターフェースカードに関するカード情報が格納されているが、ここでは６枚のインターフェースカード２、６、７、８、９、１０が実装されているので、カード情報取得部３は、図３に示した光スイッチ２の入出力ポート情報としての「ｉ−ｓｗ１」「ｉ−ｓｗ２」「ｉ−ｓｗ３」「ｉ−ｓｗ４」「ｉ−ｓｗ５」「ｉ−ｓｗ６」「ｉ−ｓｗ７」「ｉ−ｓｗ８」の８つの入力ポートを示す情報、「ｏ−ｓｗ１」「ｏ−ｓｗ２」「ｏ−ｓｗ３」「ｏ−ｓｗ４」「ｏ−ｓｗ５」「ｏ−ｓｗ６」「ｏ−ｓｗ７」「ｏ−ｓｗ８」の８つの出力ポートを示す情報を取得するとともに、図４、図８、図６、図１０、図１１の各図に示した入出力ポート情報を取得する。
【００３１】
図１４は、取得したカード情報のデータ構造を示す図である。
上述のようにして取得した識別情報および入出力情報を含むカード情報を纏めると、図１４に示したようになる。すなわち、スロット０に装着されているインターフェースカードは、入出力ポート情報「ｉ−ｓｗ１」乃至「ｉ−ｓｗ８」および「ｏ−ｓｗ１」乃至「ｏ−ｓｗ８」を有する識別情報「光ＳＷ」の光スイッチ２であり、スロット１に装着されているインターフェースカードは、出力ポート情報「ｏ−ｏｓｃ１」を有する識別情報「ＯＳＣ−Ａ」の光監視チャネル装置（ＯＳＣ−Ａ）６であり、その他スロット２乃至５に装着されているインターフェースカード７、８、９、１０の情報を取得することができる。
【００３２】
図１５は、予め定められた接続可能入出力ポート情報のデータ構造を示す図であり、図１６は、接続入出力ポート情報のデータ構造を示す図であり、図１７は、接続された入出力ポート接続情報（入力）のデータ構造を示す図であり、図１８は、接続された入出力ポート接続情報（出力）のデータ構造を示す図であり、図１９は、光スイッチ内接続情報のデータ構造を示す図である。
【００３３】
上述したように、カード情報取得部３が図１４に示したようなカード情報を取得すると、接続入出力ポート情報作成部４は、図１５に示したような様々なインターフェースカードの入出力ポート間で接続可能な状態を示す接続可能入出力ポート情報が格納された接続可能入出力ポート情報データベース１２０を参照することにより、接続可能入出力ポート情報を取得する。そして、この接続可能入出力ポート情報および上記識別情報取得部３によって取得した識別情報と入出力ポート情報とを含むカード情報に基づいて、図１６に示すような実装されたインターフェースカード２、６、７、８、９、１０の入出力ポート間での接続すべき状態を示す接続入出力ポート情報を作成する。
【００３４】
すなわち、図１５に示した「ｉ−ｍｕｘａ１」と「ｏ−ｔｒｐａ１」、「ｉ−ｍｕｘａ２」と「ｏ−ｔｒｐｂ１」、「ｉ−ｍｕｘｂ１」と「ｏ−ｔｒｐｃ１」、「ｉ−ｍｕｘｂ２」と「ｏ−ｔｒｐｄ１」、「ｉ−ａｍｐａ１」と「ｏ−ｍｕｘａ１」、「ｉ−ａｍｐａ２」と「ｏ−ｏｓｃａ１」、「ｉ−ａｍｐｂ１」と「ｏ−ｍｕｘｂ１」、「ｉ−ａｍｐｂ２」と「ｏ−ｏｓｃｂ１」等の接続可能入出力ポート情報と、図１４に示した入力端子（ＩＮ）の「ｉ−ａｍｐａ１」「ｉ−ａｍｐａ２」「ｉ−ｍｕｘａ１」「ｉ−ｍｕｘａ２」「ｉ−ｔｒｐａ１」「ｉ−ｔｒｐｂ１」、出力端子（ＯＵＴ）の「ｏ−ｏｓｃａ１」「ｏ−ａｍｐａ１」「ｏ−ｍｕｘａ１」「ｏ−ｔｒｐａ１」「ｏ−ｔｒｐｂ１」の入出力ポート情報とから、図１６に示した「ｉ−ｍｕｘａ１」と「ｏ−ｔｒｐａ１」、「ｉ−ｍｕｘａ２」と「ｏ−ｔｒｐｂ１」、「ｉ−ａｍｐａ１」と「ｏ−ｍｕｘａ１」、「ｉ−ａｍｐａ２」と「ｏ−ｏｓｃａ１」の接続入出力ポート情報を作成する。
【００３５】
そして、光スイッチ制御部５は、上記接続入出力ポート情報作成部４によって作成された上記接続入出力ポート情報と、例えばユーザにより実際に接続された光スイッチ２と他のインターフェースカード６、７、８、９、１０との接続関係が格納された、図１７および図１８に示すような入出力ポート接続情報データベース１３０を参照することにより、接続された上記光スイッチ２の入出力ポートと上記インターフェースカード２、６、７、８、９、１０の入出力ポートとの接続関係を示す入出力ポート接続情報とに基づいて、上記接続可能入出力ポート情報に従うように上記光スイッチ２を制御する。
【００３６】
すなわち、光スイッチ制御部５は、図１６に示した接続入出力ポート情報と、ユーザにより実際に接続された光スイッチ２の入力端子（ＩＮ）と他のインターフェースカード６、７、８、９、１０の入力端子（ＩＮ）との接続関係（図１７）、および光スイッチ２の出力端子（ＯＵＴ）と他のインターフェースカード６、７、８、９、１０の出力端子（ＯＵＴ）との接続関係（図１８）とに基づいて、図１９に示したような光スイッチ２内の接続情報を導き出し、図１５に示した接続可能入出力ポート情報に従うように上記光スイッチ２を制御する。
【００３７】
次に、本発明を適用した光自動接続処理全体の流れを説明する。
図２０は、光自動接続処理の流れを示すフローチャートである。
まず、ステップＳ２０１において、光伝送装置１が備えるバックワイヤリングボード（ＢＷＢ）２００の全スロットにインターフェースカードが実装されているか否かをチェックするために、初期値としてｎに０を代入する。
【００３８】
そして、ステップＳ２０２において、スロットｎ（スロット０）にインターフェースカードが実装されているか否かをチェックする。
ステップＳ２０２でインターフェースカードが実装されていると判断された場合（ステップＳ２０２：ＹＥＳ）は、ステップＳ２０３において、そのスロットｎに実装されたインターフェースカードのカード情報（識別情報や入出力ポート情報）を取得する。他方、ステップＳ２０２でインターフェースカードが実装されていないと判断された場合（ステップＳ２０２：ＮＯ）は、ステップＳ２０４に進む。
【００３９】
そして、ステップＳ２０４において、スロットｎが最後であるか否かをチェックし、最後でなければ（ステップＳ２０４：ＮＯ）、ステップＳ２０５において、ｎを１インクリメントしてステップＳ２０２以降を繰り返すことにより、スロットに実装されている全インターフェースカードのカード情報を取得する。
【００４０】
他方、ステップＳ２０４で最後のスロットであると判断されて場合（ステップＳ２０４：ＹＥＳ）は、ステップＳ２０６において、予め定められた接続可能入出力ポート情報とステップＳ２０３で取得したカード情報とに基づいて、接続入出力ポート情報を作成する。
【００４１】
そして、ステップＳ２０７において、ステップＳ２０６で作成された接続入出力ポート情報と、接続された上記光スイッチ２の入出力ポートと上記インターフェースカード６、７、８、９、１０の入出力ポートとの接続関係を示す入出力ポート接続情報とに基づいて、光スイッチ２内の接続情報を作成し、ステップＳ２０８において、この光スイッチ２内の接続情報に基づいて、接続可能入出力ポート情報に従うように上記光スイッチ２を制御する。
【００４２】
さらに、ステップＳ２０９において、上記制御された光スイッチ２が、上記接続可能入出力ポート情報に従った接続であるか否かをチェックして、光自動接続処理を終了する。
図２１は、光スイッチの構成を示す図であり、図２２は、入力ポートの拡大図であり、図２３は、出力ポートの拡大図であり、図２４は、光スイッチの詳細構成を示す図であり、図２５は、光スイッチの内部接続のチェックを説明するための図である。
【００４３】
これらの図に示したように、光スイッチ２は、入力ポートにレーザダイオードを備え、出力ポートに光信号の一部を取り出す光タップを有するフォトダイオードを備えることにより、これらレーザダイオードおよびフォトダイオードを用いて接続可能入出力ポート情報に従った接続であるか否かをチェックする。例えば、上記光スイッチ２は、複数のＭＥＭＳミラーを用い、複数の入出力ポート間を接続する光パスの切り替えを行なう三次元構成の光スイッチであり、上記複数のＭＥＭＳミラーの傾き角度を制御することにより、接続可能入出力ポート情報に従った接続であるか否かをチェックする。なお、光スイッチに三次元構造のＭＥＭＳミラーを使用することで、波長依存性、ビットレート依存性が低く、損失、クロストークが小さい光スイッチを実現できる。特に問題となる光損失については、３ｄＢ以下（約１．５ｄＢ）の光スイッチを実現できる。また、マイクロマシーン技術を用いてマイクロミラーを半導体チップ上に形成し、大規模化（６４×６４〜１，０００×１，０００）が可能である。
【００４４】
以上、本発明の実施の形態を、図面を参照しながら説明してきたが、本発明が適用される光伝送装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００４５】
また、図２６に示したように、バス２６０９に接続されたＣＰＵ２６０１、ＲＯＭやＲＡＭのメモリ２６０２、入力装置２６０３、出力装置２６０４、外部記録装置２６０５、媒体駆動装置２６０６、可搬記録媒体２６１０、ネットワーク接続装置２６０７で構成されるシステムでも実現できる。すなわち、前述してきた実施の形態のシステムを実現するソフトェアのプログラムコードを記録したＲＯＭやＲＡＭのメモリ２６０２、外部記録装置２６０５、可搬記録媒体２６１０を、光伝送装置に供給し、その光伝送装置のコンピュータがプログラムコードを読み出し実行することによっても、達成されることは言うまでもない。
【００４６】
この場合、可搬記録媒体２６１０等から読み出されたプログラムコード自体が本発明の新規な機能を実現することになり、そのプログラムコードを記録した可搬記録媒体２６１０等は本発明を構成することになる。
【００４７】
プログラムコードを供給するための可搬記録媒体２６１０としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置２６０７（言い換えれば、通信回線）を介して記録した種々の記録媒体などを用いることができる。
【００４８】
また、２７に示すように、コンピュータ２７００がメモリ２７０１上に読み出したプログラムコードを実行することによって、前述した実施の形態の機能が実現される他、そのプログラムコードの指示に基づき、コンピュータ２７００上で稼動しているＯＳなどが実際の処理の一部または全部を行ない、その処理によっても前述した実施の形態の機能が実現される。
【００４９】
さらに、可搬型記録媒体２７１０から読み出されたプログラムコードやプログラム（データ）提供者から提供されたプログラム（データ）２７２０が、コンピュータ（情報処理装置）２７００に挿入された機能拡張ボードやコンピュータ２７００に接続された機能拡張ユニットに備わるメモリ２７０１に書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００５０】
すなわち、本発明は、以上に述べた実施の形態に限定されるものではなく、本発明の要旨を逸脱しない範囲内で種々の構成または形状を取ることができる。ここで、上述した実施の形態の特徴を列挙すると、以下の通りである。
【００５１】
（付記１）
光スイッチを有する光伝送装置において、
実装されたインターフェースカードから前記インターフェースカードを特定するための識別情報および前記インターフェースカードが有する入出力ポートに関する情報を示す入出力ポート情報を含むカード情報を取得するカード情報取得手段と、
前記識別情報取得手段によって取得した前記カード情報および予め定められたインターフェースカードの入出力ポート間で接続可能な状態を示す接続可能入出力ポート情報に基づいて、前記実装されたインターフェースカードの入出力ポート間での接続すべき状態を示す接続入出力ポート情報を作成する接続入出力ポート情報作成手段と、
前記接続入出力ポート情報作成手段によって作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御する光スイッチ制御手段と、
を備えることを特徴とする光伝送装置。
【００５２】
（付記２）
前記光スイッチ制御手段によって制御された光スイッチが、前記接続可能入出力ポート情報に従った接続であるか否かをチェックするチェック手段を備えることを特徴とする付記１に記載の光伝送装置。
【００５３】
（付記３）
前記光スイッチは、入力ポートにレーザダイオードを備え、出力ポートに光信号の一部を取り出す光タップを有するフォトダイオードを備え、
前記チェック手段は、前記レーザダイオードおよび前記フォトダイオードを用いてチェックすることを特徴とする付記２に記載の光伝送装置。
【００５４】
（付記４）
前記光スイッチは、複数のＭＥＭＳミラーを用い、複数の入出力ポート間を接続する光パスの切り替えを行なう三次元構成の光スイッチであり、
前記光スイッチ制御手段は、前記複数のＭＥＭＳミラーの傾き角度を制御することを特徴とする付記１乃至３の何れか１項に記載の光伝送装置。
【００５５】
（付記５）
光スイッチを有する光伝送装置において実行される光自動接続方法であって、
実装されたインターフェースカードから前記インターフェースカードを特定するための識別情報および前記インターフェースカードが有する入出力ポートに関する情報を示す入出力ポート情報を含むカード情報を取得し、
予め定められたインターフェースカードの入出力ポート間で接続可能な状態を示す接続可能入出力ポート情報および前記取得した前記カード情報に基づいて、前記実装されたインターフェースカードの入出力ポート間での接続すべき状態を示す接続入出力ポート情報を作成し、
前記作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御することを特徴とする光自動接続方法。
【００５６】
（付記６）
前記制御された光スイッチが、前記接続可能入出力ポート情報に従った接続であるか否かをチェックすることを特徴とする付記５に記載の光自動接続方法。
【００５７】
（付記７）
光スイッチを有する光伝送装置において実行させるコンピュータ実行可能な光自動接続プログラムであって、
実装されたインターフェースカードから前記インターフェースカードを特定するための識別情報および前記インターフェースカードが有する入出力ポートに関する情報を示す入出力ポート情報を含むカード情報を取得する手順と、
予め定められたインターフェースカードの入出力ポート間で接続可能な状態を示す接続可能入出力ポート情報および前記取得した前記カード情報に基づいて、前記実装されたインターフェースカードの入出力ポート間での接続すべき状態を示す接続入出力ポート情報を作成する手順と、
前記作成された前記接続入出力ポート情報および接続された前記光スイッチの入出力ポートと前記インターフェースカードの入出力ポートとの接続関係を示す入出力ポート接続情報に基づいて、前記接続可能入出力ポート情報に従うように前記光スイッチを制御する手順とを備えることを特徴とする光自動接続プログラム。
【図面の簡単な説明】
【００５８】
【図１】本発明を適用した光伝送装置の全体構成を概念的に示した図である。
【図２】実装されたインターフェースカードの光接続の状態を説明するための図である。
【図３】光スイッチのカード情報のデータ構造を示す図である。
【図４】光監視チャネル装置（ＯＳＣ−Ａ）のカード情報のデータ構造を示す図である。
【図５】光監視チャネル装置（ＯＳＣ−Ｂ）のカード情報のデータ構造を示す図である。
【図６】多重化／分割化装置（ＭＵＸ／ＤＥＭＵＸ−Ａ）のカード情報のデータ構造を示す図である。
【図７】多重化／分割化装置（ＭＵＸ／ＤＥＭＵＸ−Ｂ）のカード情報のデータ構造を示す図である。
【図８】増幅器（ＡＭＰ−Ａ）のカード情報のデータ構造を示す図である。
【図９】増幅器（ＡＭＰ−Ｂ）のカード情報のデータ構造を示す図である。
【図１０】中継器（ＴＲＰ−Ａ）のカード情報のデータ構造を示す図である。
【図１１】中継器（ＴＲＰ−Ｂ）のカード情報のデータ構造を示す図である。
【図１２】中継器（ＴＲＰ−Ｃ）のカード情報のデータ構造を示す図である。
【図１３】中継器（ＴＲＰ−Ｄ）のカード情報のデータ構造を示す図である。
【図１４】取得したカード情報のデータ構造を示す図である。
【図１５】予め定められた接続可能入出力ポート情報のデータ構造を示す図である。
【図１６】接続入出力ポート情報のデータ構造を示す図である。
【図１７】接続された入出力ポート接続情報（入力）のデータ構造を示す図である。
【図１８】接続された入出力ポート接続情報（出力）のデータ構造を示す図である。
【図１９】光スイッチ内接続情報のデータ構造を示す図である。
【図２０】光自動接続処理の流れを示すフローチャートである。
【図２１】光スイッチの構成を示す図である。
【図２２】入力ポートの拡大図である。
【図２３】出力ポートの拡大図である。
【図２４】光スイッチの詳細構成を示す図である。
【図２５】光スイッチの内部接続のチェックを説明するための図である。
【図２６】本発明における光伝送装置の構成を示す図である。
【図２７】本発明における光自動接続プログラムのコンピュータへのローディングを説明するための図である。
【符号の説明】
【００５９】
１      光伝送装置
２      光スイッチ
３      カード情報取得部
４      接続入出力ポート情報作成部
５      光スイッチ制御部
６      光監視チャネル装置（ＯＳＣ−Ａ）
７      増幅器（ＡＭＰ−Ａ）
８      多重化／分割化装置（ＭＵＸ／ＤＥＭＵＸ−Ａ）
９      中継器（ＴＲＰ−Ａ）
１０      中継器（ＴＲＰ−Ｂ）
１１      光スイッチ第１入力ポート
１２      光スイッチ第２入力ポート
１３      光スイッチ第３入力ポート
１４      光スイッチ第４入力ポート
１５      光スイッチ第５入力ポート
１６      光スイッチ第６入力ポート
１７      光スイッチ第７入力ポート
１８      光スイッチ第８入力ポート
２１      光スイッチ第１出力ポート
２２      光スイッチ第２出力ポート
２３      光スイッチ第３出力ポート
２４      光スイッチ第４出力ポート
２５      光スイッチ第５出力ポート
２６      光スイッチ第６出力ポート
２７      光スイッチ第７出力ポート
２８      光スイッチ第８出力ポート
３１      ＭＥＭＳ第１ミラー
３２      ＭＥＭＳ第２ミラー
３３      ＭＥＭＳ第３ミラー
３４      ＭＥＭＳ第４ミラー
３５      ＭＥＭＳ第５ミラー
３６      ＭＥＭＳ第６ミラー
３７      ＭＥＭＳ第７ミラー
３８      ＭＥＭＳ第８ミラー
６６      光監視チャネル装置Ａ第１出力ポート
７１      増幅器Ａ第１入力ポート
７２      増幅器Ａ第２入力ポート
７６      増幅器Ａ第１出力ポート
８１      多重化／分割化装置Ａ第１入力ポート
８２      多重化／分割化装置Ａ第２入力ポート
８６      多重化／分割化装置Ａ第１出力ポート
９１      中継器Ａ第１入力ポート
９６      中継器Ａ第２入力ポート
１０１      中継器Ｂ第１入力ポート
１０６      中継器Ｂ第２入力ポート
１１０      カード情報データベース
１２０      接続可能入出力ポート情報データベース
１３０      入出力ポート接続情報データベース
２００      バックワイヤリングボード
２６０１      ＣＰＵ
２６０２      メモリ
２６０３      入力装置
２６０４      出力装置
２６０５      外部記録装置
２６０６      媒体駆動装置
２６０７      ネットワーク接続装置
２６０９      バス
２６１０      可搬記録媒体
２７００      情報処理装置
２７０１      メモリ
２７２０      プログラム（データ）
【図１】
2006157359.tif 000003
【図２】
2006157359.tif 000004
【図３】
2006157359.tif 000005
【図４】
2006157359.tif 000006
【図５】
2006157359.tif 000007
【図６】
2006157359.tif 000008
【図７】
2006157359.tif 000009
【図８】
2006157359.tif 000010
【図９】
2006157359.tif 000011
【図１０】
2006157359.tif 000012
【図１１】
2006157359.tif 000013
【図１２】
2006157359.tif 000014
【図１３】
2006157359.tif 000015
【図１４】
2006157359.tif 000016
【図１５】
2006157359.tif 000017
【図１６】
2006157359.tif 000018
【図１７】
2006157359.tif 000019
【図１８】
2006157359.tif 000020
【図１９】
2006157359.tif 000021
【図２０】
2006157359.tif 000022
【図２１】
2006157359.tif 000023
【図２２】
2006157359.tif 000024
【図２３】
2006157359.tif 000025
【図２４】
2006157359.tif 000026
【図２５】
2006157359.tif 000027
【図２６】
2006157359.tif 000028
【図２７】
2006157359.tif 000029